(57)【要約】      （修正有）【課題】電池蓋の防水性を確保しながらも電池蓋を開くときに剥がしやすくする。【解決手段】リアカバー５（電池蓋）に電池収容部の外周を覆う防水パッキン１０を設け、背面側キャビネット（筐体）に防水パッキン１０が当接するパッキン当接部を設ける。また、リアカバー５の下端中央に、指を掛けてリアカバー５を引き剥がすための引っ掛け部１１を切り欠く。そして、防水パッキン１０に背面視で引っ掛け部１１に向かって膨出する膨出部１２を設ける。【選択図】図１
2014011480.tif 000002
【特許請求の範囲】
【請求項１】
筐体の電池収容部に収容された背面視矩形状の充電池を覆う電池蓋を有する携帯端末であって、
上記筐体又は上記電池蓋のいずれか一方に設けられ、上記電池収容部の外周を覆う防水パッキンと、
上記筐体又は上記電池蓋の他方に設けられ、上記防水パッキンが当接するパッキン当接部と、
上記筐体又は上記電池蓋のいずれか一方に切り欠かれ、又は凹陥された引っ掛け部とを備え、
上記防水パッキンは、背面視で上記引っ掛け部に向かって膨出する膨出部を備えている
ことを特徴とする携帯端末。
【請求項２】
請求項１に記載の携帯端末において、
背面視で上記充電池の中心と上記引っ掛け部の中心とを結ぶ直線上に上記膨出部の近接する頂点が配置されている
ことを特徴とする携帯端末。
【請求項３】
請求項２に記載の携帯端末において、
上記防水パッキンの上記近接する頂点の近傍は、他の部分よりも厚さが薄くなっている
ことを特徴とする携帯端末。
【請求項４】
請求項１乃至３のいずれか１つに記載の携帯端末において、
上記引っ掛け部は、複数設けられ、各引っ掛け部に対応させて上記膨出部が形成されている
ことを特徴とする携帯端末。
【発明の詳細な説明】
【技術分野】
【０００１】
本発明は、筐体の電池収容部に収容された充電池を覆う電池蓋を有する携帯端末に関するものである。
【背景技術】
【０００２】
従来より、筐体の電池収容部に収容された充電池を覆う電池蓋を有する携帯端末は知られている。
【０００３】
例えば、特許文献１のように、上面に電池が格納される凹部が形成されたケース本体と、凹部を閉鎖する蓋板とを有し、凹部を囲むケース本体の周壁の端面と蓋板の間をシールするＯリングを設けた電池ケースが知られている。このケース本体の側面には、複数箇所に、下方へ向けて傾斜方向に突出する傾斜面を有する凸部を形成し、蓋板には、これと一体に、蓋板の周縁から延びケース本体の側面に沿う複数の可撓性の脚板を形成し、各脚板には凸部と対応する位置に凸部と係合する係合穴を形成している。このことで、係合状態において、電池蓋が凸部から受ける反力によりが圧縮して十分にシールできるようにしている。
【先行技術文献】
【特許文献】
【０００４】
【特許文献１】特開２０００−４８７８６号公報
【発明の概要】
【発明が解決しようとする課題】
【０００５】
しかしながら、特許文献１のような従来の携帯端末では、防水パッキンの圧着により防水性を確保しているため、電池蓋を剥がす際には、防水パッキンが密着していて非常に剥がしにくいという問題がある。
【０００６】
本発明は、かかる点に鑑みてなされたものであり、その目的とするところは、電池蓋の防水性を確保しながらも電池蓋を開くときに剥がしやすくすることにある。
【課題を解決するための手段】
【０００７】
上記の目的を達成するために、この発明では、防水パッキンに膨出部を設け、この膨出部から剥がせるようにした。
【０００８】
具体的には、第１の発明では、
筐体の電池収容部に収容された背面視矩形状の充電池を覆う電池蓋を有する携帯端末を対象とする。
【０００９】
そして、上記携帯端末は、
上記筐体又は上記電池蓋のいずれか一方に設けられ、上記電池収容部の外周を覆う防水パッキンと、
上記筐体又は上記電池蓋の他方に設けられ、上記防水パッキンが当接するパッキン当接部と、
上記筐体又は上記電池蓋のいずれか一方に切り欠かれ、又は凹陥された引っ掛け部とを備え、
上記防水パッキンは、背面視で上記引っ掛け部に向かって膨出する膨出部を備えている。
【００１０】
すなわち、背面視矩形状の充電池を覆う防水パッキンは、通常背面視矩形状であり、圧縮されて防水性を確保しているので、電池蓋を剥がすときには、指を掛けて電池蓋を剥がす引っ掛け部近傍の圧着面積の大きい防水パッキンの一辺から剥がすことが多く、非常に剥がしにくくなっている。しかし、上記の構成によると、引っ掛け部に向かって意図的に防水パッキンを膨出させて膨出部を形成しているので、この膨出部から圧着された防水パッキンがパッキン当接部から剥がれていくため、電池蓋を剥がしやすい。
【００１１】
第２の発明では、第１の発明において、
背面視で上記充電池の中心と上記引っ掛け部の中心とを結ぶ直線上に上記膨出部の近接する頂点が配置されている。
【００１２】
上記の構成によると、引っ掛け部に加わった引き剥がす力により、膨出部の頂点から確実に防水パッキンが剥がれる。
【００１３】
第３の発明では、第２の発明において、
上記防水パッキンの上記近接する頂点の近傍は、他の部分よりも厚さが薄くなっている。
【００１４】
上記の構成によると、膨出部の引っ掛け部に最も近い頂点において防水パッキンの厚さを薄くすることで、他の部分よりも防水パッキンが圧着されにくくなっている。このため、さらに頂点から電池蓋を剥がしやすくなる。
【００１５】
第４の発明では、第１乃至第３のいずれか１つの発明において、
上記引っ掛け部は、複数設けられ、各引っ掛け部に対応させて上記膨出部が形成されている。
【００１６】
上記の構成によると、いずれの引っ掛け部から電池蓋を剥がすときでも、その引っ掛け部に対応した膨出部から防水パッキンが剥がれるので、電池蓋を開きやすい。
【発明の効果】
【００１７】
以上説明したように、本発明によれば、防水パッキン及びパッキン当接部に背面視で引っ掛け部に向かって膨出する膨出部を形成し、この膨出部から防水パッキンを剥がすようにしたことにより、電池蓋の防水性を確保しながらも電池蓋を開くときに剥がしやすくすることができる。
【図面の簡単な説明】
【００１８】
【図１】リアカバーの正面図である。
【図２】本発明の実施形態に係る携帯電話機を正面側から見た斜視図である。
【図３】本発明の実施形態に係る携帯電話機を背面側から見た斜視図である。
【図４】リアカバーを外した携帯電話機を示す背面図である。
【図５】図１のＶ−Ｖ線拡大断面図である。
【図６】（ａ）は、図３のVI−VI線拡大断面図であり、（ｂ）は、リアカバーの下部を示す斜視図であり、（ｃ）は、（ａ）のVI（c)−VI（c)線断面図である。
【図７】本発明のその他の実施形態に係る図１相当図である。
【図８】本発明のその他の実施形態に係る図１相当図である。
【図９】本発明のその他の実施形態に係る図１相当図である。
【図１０】本発明のその他の実施形態に係る図１相当図である。
【図１１】本発明のその他の実施形態に係る図１相当図である。
【発明を実施するための形態】
【００１９】
以下、本発明の実施形態を図面に基づいて説明する。
【００２０】
図２及び図３は、本発明の実施形態の携帯端末としての携帯電話機１（スマートフォン）を示し、この携帯電話機１は、正面に表示部２を有する正面側キャビネット３とその背面側を覆う筐体としての背面側キャビネット４とを備えている。図１及び図４にも示すように、背面側キャビネット４の背面が樹脂成形品などよりなる電池蓋としてのリアカバー５で覆われている。
【００２１】
図４に示すように、背面側キャビネット４の背面の下側には、背面から見て矩形状の電池収容部６が凹陥されている。この電池収容部６には、背面視矩形状の充電池７が収容されている。
【００２２】
そして、図５にも示すように、電池収容部６の外周を覆うように、平坦なパッキン当接部８が枠状に形成されている。
【００２３】
一方、図１及び図６に示すように、リアカバー５には、パッキン当接部８に合わせて防水パッキン１０が設けられている。防水パッキン１０は、リアカバー５に突設したリブ５ａ（図５に示す）に対して一体成形してもよいし、接着剤などにより接着してもよい。また、リアカバー５の下端中央には、指を掛けてリアカバー５を引き剥がすための引っ掛け部１１が切り欠かれている。なお、この引っ掛け部１１は、リアカバー５側を切り欠くのではなく、背面側キャビネット４側を凹陥して形成してもよい。
【００２４】
そして、本発明の特徴として、防水パッキン１０は、背面視で引っ掛け部１１に向かって膨出する膨出部１２を備えている。そして、背面から見て充電池７の中心７ａと引っ掛け部１１の中心１１ａとを結ぶ直線Ｌ上に膨出部１２の近接する頂点１２ａが配置されている。ただし、この頂点１２ａの位置は必ずしもこの直線Ｌ上になければならないわけではなく、多少ずれていてもよい。
【００２５】
そして、図６に示すように、防水パッキン１０の頂点１２ａの近傍は、他の部分の高さｈ１よりも高さｈ２が低くなっている。その差ｈ１−ｈ２の大きさは、防水性が低下しない程度とすればよい。
【００２６】
このように構成することで、リアカバー５を閉じる際には、リアカバー５を押さえ付けながら背面側キャビネット４に貼り付ける。すると図示しないリアカバー５の係合爪が背面側キャビネット４の係合孔に係合してリアカバー５が閉じられる。このとき、防水パッキン１０がパッキン当接部８に圧着されて防水性が確保される。
【００２７】
一方、リアカバー５を開くときには、引っ掛け部１１に指を引っ掛けてリアカバー５を引き剥がす。このとき、防水パッキン１０は、パッキン当接部８に密着しているが、従来のように防水パッキン１０が充電池７の下辺に合わせて直線状ではないので、圧着面積の大きい防水パッキン１０の一辺から剥がす必要がない。
【００２８】
本実施形態では、防水パッキン１０が下方へ膨出する形状をしているので、引っ掛け部１１に加わった引き剥がす力により、膨出部１２の頂点１２ａから確実に防水パッキン１０が剥がれる。しかも、膨出部１２の引っ掛け部１１に最も近い頂点１２ａ及びその近傍の厚さを薄くすることで、他の部分よりも防水パッキン１０の圧着力が弱くなっているので、さらに頂点１２ａからリアカバー５を剥がしやすい。
【００２９】
したがって、本実施形態に係る携帯端末によると、防水パッキン１０に背面視で引っ掛け部１１に向かって膨出する膨出部１２を形成し、この膨出部１２から防水パッキン１０を剥がすようにしたことにより、リアカバー５の防水性を確保しながらもリアカバー５を開くときに剥がしやすくすることができる。
【００３０】
（その他の実施形態）
本発明は、上記実施形態について、以下のような構成としてもよい。
【００３１】
すなわち、上記実施形態では、携帯端末は、携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００３２】
また、上記実施形態では、引っ掛け部１１はリアカバー５の下端中央に設けたが、下端の左右いずれかにずれていてもよい。例えば、図７に示すように、リアカバー５の正面から見て左側に引っ掛け部１１がある場合には、膨出部１２の頂点１２ａを垂直線Ｌ’上に配置するとリアカバー５が剥がしやすい。この場合、下辺全体を膨出部１２にするのではなく、下辺の左側のみ膨出部１２としてもよい。
【００３３】
また、図８及び図９に示すように、リアカバー５の左右いずれかに引っ掛け部１１を設けた場合にも、この引っ掛け部１１の水平線Ｌ’’上に膨出部１２の頂点１２ａを配置すればよい。
【００３４】
また、上記実施形態では、引っ掛け部１１をリアカバー５の下端中央に設けたが、例えば、図１０に示すように、リアカバー５の上端中央にのみ設けてもよい。この場合、上方に膨出部１２を形成すればよく、この膨出部１２から防水パッキン１０が容易に剥がれる。
【００３５】
また、上記実施形態では、引っ掛け部１１を１つのみ設けたが、例えば、リアカバー５の上端中央にも設けてもよい。この場合、図１に示すように、上方にも膨出部１２’を形成すればよく、この膨出部１２’から防水パッキン１０が容易に剥がれる。下端中央のみに引っ掛け部１１を設ける場合には、図１１に示すように、下辺にのみ膨出部１２を形成すれば足りる。
【００３６】
なお、以上の実施形態は、本質的に好ましい例示であって、本発明、その適用物や用途の範囲を制限することを意図するものではない。
【産業上の利用可能性】
【００３７】
以上説明したように、本発明は、筐体の電池収容部に収容された充電池を覆う電池蓋を有する携帯電話機などの携帯端末について有用である。
【符号の説明】
【００３８】
１      携帯電話機（携帯端末）
２      表示部
３      正面側キャビネット
４      背面側キャビネット（筐体）
５      リアカバー（電池蓋）
６      電池収容部
７      充電池
８      パッキン当接部
１０      防水パッキン
１２ａ    頂点
１１      引っ掛け部
１２，１２’    膨出部
【図１】
2014011480.tif 000003
【図２】
2014011480.tif 000004
【図３】
2014011480.tif 000005
【図４】
2014011480.tif 000006
【図５】
2014011480.tif 000007
【図６】
2014011480.tif 000008
【図７】
2014011480.tif 000009
【図８】
2014011480.tif 000010
【図９】
2014011480.tif 000011
【図１０】
2014011480.tif 000012
【図１１】
2014011480.tif 000013